(57)【要約】【課題】ＯＣＢ液晶セルを用いた際に、逆転移の発生を抑圧し、良好な映像を表示することが可能な液晶表示装置を提供する。【解決手段】画素データが供給される複数のソース線と、走査信号が供給される複数のゲート線と、ソース線と前記ゲート線の交点に対応してマトリクス状に配置されたトランジスタとを有した、トランジスタのドレイン側に液晶セルの一方の電極と意図的に形成した蓄積容量の一方の電極を配置し、蓄積容量のもう一方の電極を液晶セルの反対側の電極とは別の電極に配線した構造を持つ液晶表示素子を具備し、液晶セルに対し、１フレーム期間内の所定期間に映像信号表示用の電圧を印加し、他の所定期間に映像信号表示とは別の電圧を印加し、映像信号表示とは別の電圧をソース線とは異なる電極である蓄積容量の一方の電極から印加する。【選択図】図１
2004046235.tif 000002
【特許請求の範囲】
【請求項１】
画素データが供給される複数のソース線と、
走査信号が供給される複数のゲート線と、
前記ソース線と前記ゲート線の交点に対応してマトリクス状に配置されたトランジスタと、
前記トランジスタのドレイン側に液晶セルの一方の電極と意図的に形成した蓄積容量の一方の電極を配置し、かつ前記蓄積容量のもう一方の電極を液晶セルの反対側の電極とは別の電極に配線した構造を有する液晶表示素子とを具備し、
前記ソース線から、前記液晶セルに対し、１フレーム期間内の所定期間に映像表示信号用の電圧を印加し、更に他の所定期間に映像表示信号とは異なる別の電圧を印加し、前記映像表示信号とは別の電圧を前記ソース線とは異なる電極である前記蓄積容量の一方の電極から印加することを特徴とする液晶表示装置。
【請求項２】
画素データが供給される複数のソース線と、
走査信号が供給される複数のゲート線と、
前記ソース線と前記ゲート線の交点に対応してマトリクス状に配置されたトランジスタと、
前記トランジスタのドレイン側に液晶セルの一方の電極と意図的に形成した蓄積容量の一方の電極を配置し、かつ前記蓄積容量のもう一方の電極を隣接した別のゲート線に配線した構造を有する液晶表示素子とを具備し、
前記ソース線から、前記液晶セルに対し、１フレーム期間内の所定期間に映像表示信号用の電圧を印加し、更に他の所定期間に映像表示信号とは異なる別の電圧を印加し、前記映像表示信号とは別の電圧を前記ソース線とは異なる電極である前記蓄積容量の一方の電極から印加することを特徴とする液晶表示装置。
【請求項３】
画素データが供給される複数のソース線と、
走査信号が供給される複数のゲート線と、
前記ソース線と前記ゲート線の交点に対応してマトリクス状に配置されたトランジスタと、
前記トランジスタのドレイン側に液晶セルの一方の電極と意図的に形成した蓄積容量の一方の電極を配置し、かつ前記蓄積容量のもう一方の電極を液晶セルの反対側の電極とは別の電極に配線した構造を有する液晶表示素子とを具備し、
前記ソース線から、前記液晶セルに対し、１フレーム期間内の所定期間に映像表示信号用の電圧を印加し、更に他の所定期間に映像表示信号とは異なる別の電圧を印加し、前記映像表示信号とは別の電圧を前記ソース線とは異なる電極である液晶セルの反対側の電極から印加することを特徴とする液晶表示装置。
【請求項４】
画素データが供給される複数のソース線と、
走査信号が供給される複数のゲート線と、
前記ソース線と前記ゲート線の交点に対応してマトリクス状に配置されたトランジスタと、
前記トランジスタのドレイン側に液晶セルの一方の電極と意図的に形成した蓄積容量の一方の電極を配置し、かつ蓄積容量のもう一方の電極を液晶セルの反対側の電極と同一の電極に配線した構造を有する液晶表示素子とを具備し、
前記ソース線から、前記液晶セルに対し、１フレーム期間内の所定期間に映像表示信号用の電圧を印加し、更に他の所定期間に映像表示信号とは異なる別の電圧を印加し、前記映像表示信号とは別の電圧を前記ソース線とは異なる電極である液晶セルの反対側の電極から印加することを特徴とする液晶表示装置。
【請求項５】
ソース線から供給する電圧振幅が、液晶の透過率の最大を決定する電圧と液晶の透過率の最小を決定する電圧との差の１倍以上２倍未満の幅である請求項１ないし請求項４のいずれかに記載の液晶表示装置。
【請求項６】
ソース線から供給する電圧振幅が、液晶の透過率の最大を決定する電圧と液晶の透過率の最小を決定する電圧との差の２倍以上３倍未満の幅である請求項１ないし請求項４のいずれかに記載の液晶表示装置。
【請求項７】
画素データが供給される複数のソース線と、
走査信号が供給される複数のゲート線と、
前記ソース線と前記ゲート線の交点に対応してマトリクス状に配置されたトランジスタと、
前記トランジスタのドレイン側に液晶セルの一方の電極と意図的に形成された蓄積容量の一方の電極を配置した構造を有する液晶表示素子と、
映像信号とそれに同期した同期信号を入力し、映像信号の１水平走査期間を１倍以上２倍未満にレート変換するレート変換部と、
前記レート変換に用いるメモリと、
前記同期信号からソースよおびゲートドライバの駆動動作を行う駆動制御部とを具備し、
前記レート変換によって生じる余裕時間に複数のゲート線上の液晶セルに対し映像信号とは異なる別の電圧を印加することを特徴とする液晶表示装置。
【請求項８】
各ゲート線毎に予め定めた補正を行う補正部を有し、ゲート線毎の映像信号が印加されている期間と、前記の映像信号とは異なる他の電圧が印加されている期間の割合のばらつきによる輝度むらの影響を排除することを特徴する請求項６に記載の液晶表示装置。
【請求項９】
フレーム毎にゲート線を走査する順序を入れ替えて、その入れ替え順序に応じた映像信号の並べ替えを行う並べ替え部と、前記並べ替えに用いるメモリを具備し、
ゲート線毎の映像信号が印加されている期間と、前記の映像信号とは異なる別の電圧が印加されている期間の割合のばらつきの各ゲート毎の平均を均一化させ、各ゲート毎の輝度むらの影響を排除することを特徴する請求項６に記載の液晶表示装置。
【請求項１０】
１フレーム期間における、映像信号が印加されている期間と、前記の映像信号とは異なる別の電圧が印加されている期間の割合が可変であることを特徴とする請求項１から請求項９のいずれかに記載の液晶表示装置。
【請求項１１】
液晶セルがＯＣＢセルであることを特徴とする請求項１から請求項１０のいずれかに記載の液晶表示装置。
【発明の詳細な説明】
【技術分野】
【０００１】
　本発明は、アクティブマトリックス型液晶表示装置の駆動方法および液晶表示装置に係り、特に広視野角、高速応答性を有するＯＣＢ（Ｏｐｔｉｃａｌｌｙ　ｓｅｌｆ−Ｃｏｍｐｅｎｓａｔｅｄ　Ｂｉｒｅｆｒｉｎｇｅｎｃｅ）液晶モードを利用した液晶表示装置の駆動方法および液晶表示装置に関するものである。
【背景技術】
【０００２】
　周知のとおり、液晶表示装置は、コンピュータ装置等の画面表示デバイスとして数多く使用されているが、今後はＴＶ用途での使用拡大も見込まれている。しかしながら現在広く使用されているＴＮ（Ｔｗｉｓｔｅｄ　Ｎｅｍａｔｉｃ）モードは視野角が狭く、応答速度も不充分で、視差によるコントラストの低下や、動画像のボケなど、ＴＶとして使用する際の表示性能には大きな課題がある。
【０００３】
　近年、上記ＴＮモードに代わり、ＯＣＢ液晶モードに関する研究が進んでいる。ＯＣＢは、ＴＮに比べ、広視野角、高速応答という特性を持ち、自然動画表示により適した液晶モードであるといえる。
【０００４】
　以下、従来の液晶表示装置の駆動方法および液晶表示装置に関して説明する。
【０００５】
　図１１において、１０１はゲート線、１０２はソース線、１０３はスイッチング素子としての薄膜トランジスタ（以下、ＴＦＴという）で、ＴＦＴのドレイン電極は画素の画素電極に接続されている。画素は、画素電極と対向電極１０７との両方の電極にはさまれて保持された液晶１０５、さらにこれら画素電極と対向電極との間に形成された蓄積容量１０４とで構成される。
【０００６】
　以下、図１２においてその実際の駆動動作を説明する。
【０００７】
　ソース線へのデータ電位Ｖｓの供給と同期して、ゲート線の電位Ｖｇは順次オン電位となる。ソース線に供給される電圧の位相は、本例ではソース線毎またはフレーム毎に逆相の関係となる。対向電極の電圧と、ソース線に供給され、各画素に印可された電圧の差が、画素内の液晶Ｃｌｃの両端に印加される電圧で、これが画素の透過率を決定する。
【０００８】
　こうした駆動方法はＯＣＢセルを用いた場合も、ＴＮ型セルを用いた場合も同様である。ただし、ＯＣＢセルは、映像表示を開始する起動段階においてＴＮ型セルにはない独特の駆動が必要となる。
【０００９】
　ＯＣＢセルは画像表示が可能な状態にあたるベンド配向と、表示できない状態にあたるスプレイ配向とをもつ。このスプレイ配向からベンド配向に移行する（以下、転移とよぶ）ためには、一定時間高電圧を印加するなどの独特の駆動が必要となる。ただし、この転移に係る駆動に関しては本発明とは直接関係しないので、これ以上の説明は行わない。
【発明の開示】
【発明が解決しようとする課題】
【００１０】
　しかしながら、このＯＣＢセルは、前記の独特な駆動により一旦ベンド配向に転移しても、所定のレベル以上の電圧が一定時間以上印加されない状態が続くと、ベンド配向が維持できずスプレイ配向に戻る（以下、この現象を逆転移とよぶ）という課題があった。
【００１１】
　それ故、本発明の目的は、ＯＣＢセルを用いた際に、逆転移の発生を抑圧し、良好な映像を表示することが可能な液晶表示装置の駆動方法および液晶表示装置を提供することである。
【課題を解決するための手段】
【００１２】
　この課題を解決するために第１の発明は、画素データが供給される複数のソース線と、走査信号が供給される複数のゲート線と、前記ソース線と前記ゲート線の交点に対応してマトリクス状に配置されたトランジスタと、前記トランジスタのドレイン側に液晶セルの一方の電極を、前記トランジスタのドレイン側には更に意図的に形成した蓄積容量の一方の電極を配置し、その蓄積容量のもう一方の電極を液晶セルの反対側の電極とは別の電極に配線した構造を持つ液晶表示素子とを具備し、前記液晶セルに対し、１フレーム期間内の所定期間に映像表示信号用の電圧を印加し、さらに他の所定期間に映像表示信号とは異なる別の電圧を印加し、前記映像表示信号とは別の電圧をソース線とは異なる電極である蓄積容量の一方の電極から印加することを特徴とする、液晶表示装置である。
【００１３】
　第２の発明は、第１の発明に対して、蓄積容量のもう一方の電極を隣接した他のゲート線に配線した構造を持つ液晶表示素子を具備し、映像表示信号とは異なる別の電圧をソース線とは異なる電極である蓄積容量の一方の電極から印加することを特徴とする、液晶表示装置である。
【００１４】
　第３の発明は、第１または第２の発明に対して、前記映像表示信号とは異なる別の電圧を、ソース線とは異なる電極である液晶セルの反対側の電極から印加することを特徴とする、液晶表示装置である。
【００１５】
　第４の発明は、第１から第３の発明に対して、蓄積容量のもう一方の電極を液晶セルの反対側の電極と同一の電極に配線した構造を持つ液晶表示素子を有し、前記映像表示信号とは異なる別の電圧をソース線とは異なる電極である液晶セルの反対側の電極から印加することを特徴とする、液晶表示装置である。
【００１６】
　第５の発明は、第１から第４の発明に従属する発明であって、ソース線から供給される電圧振幅が液晶の透過率の最大を決定する電圧と液晶の透過率の最小を決定する電圧との１倍以上２倍未満の幅であることを特徴とする、液晶表示装置である。
【００１７】
　第６の発明は、第１から第４の発明に従属する発明であって、ソース線から供給される電圧振幅が液晶の透過率の最大を決定する電圧と液晶の透過率の最小を決定する電圧との２倍以上３倍未満の幅であることを特徴とする、液晶表示装置である。
【００１８】
　第７の発明は、画素データが供給される複数のソース線と、走査信号が供給される複数のゲート線と、前記ソース線と前記ゲート線の交点に対応してマトリクス状に配置されたトランジスタと、前記トランジスタのドレイン側に液晶セルの一方の電極を、前記トランジスタのドレイン側にはさらに意図的に形成した蓄積容量の一方の電極を配置した構造を持つ液晶表示素子と、映像信号とそれに同期した同期信号を入力し、映像信号の１水平走査期間を１倍以上２倍未満にレート変換するレート変換部と、前記レート変換に用いるメモリと、前記同期信号からソースよおびゲートドライバの駆動動作を行う駆動制御部とを具備し、前記のレート変換によって生じる余裕時間に複数のゲート線上の液晶セルに対し映像信号とは異なる別の電圧を印加することを特徴とする、液晶表示装置である。
【００１９】
　第８の発明は、第７の発明に従属する発明であって、各ゲート線毎に予め定めた補正を行う補正回路を具備し、ゲート線毎の映像信号が印加されている期間と、前記の映像信号とは異なる別の電圧が印加されている期間の割合のばらつきによる輝度むらの影響を排除することを特徴する、液晶表示装置である。
【００２０】
　第９の発明は、第７の発明に従属する発明であって、フレーム毎にゲート線を走査する順序を入れ替えて、その入れ替え順序に応じた映像信号の並べ替えを行う並べ替え部と、並べ替えに用いるメモリを具備し、ゲート線毎の映像信号が印加されている期間と、前記の映像信号とは異なる別の電圧が印加されている期間の割合のばらつきによる輝度むらの影響を排除することを特徴する、液晶表示装置である。
【００２１】
　第１０の発明は、第１から第９の発明に従属する発明であって、１フレーム期間における、映像信号が印加されている期間と、前記の映像信号とは異なる別の電圧が印加されている期間の割合が可変であることを特徴とする。
【００２２】
　第１１の発明は、第１から第１０の発明に従属する発明であって、前記液晶セルがＯＣＢセルであることを特徴とする。
【発明の効果】
【００２３】
　本発明の液晶表示装置の駆動方法および液晶表示装置によれば、ソース線によるデータ電位書き込み後、蓄積容量電極電位を所定の電位に駆動することで逆転移を防止し、これによる画面輝度低下の影響を極力小さくすることが可能となる。
【００２４】
　また、本発明の液晶表示装置の駆動方法および液晶表示装置によれば、蓄積容量電極電位を所定の電位に駆動することで、ソース線を該１倍電位で駆動しながら交流反転駆動を行い、かつ逆転移を防止し、これによる画面輝度低下の影響を極力小さくすることが可能となる。また、上記の構成ではソース線の駆動電位を第１の実施例よりも低くすることができ、従ってソース線を駆動する回路またはドライバＩＣのコストを低減することが可能となる。
【００２５】
　また、本発明の液晶表示装置の駆動方法および液晶表示装置によれば、ソース線によるデータ電位書き込み後、前段ゲート電位を所定の電位に駆動することで逆転移を防止し、これによる画面輝度低下の影響を極力小さくすることが可能となる。
【００２６】
　また、本発明の液晶表示装置の駆動方法および液晶表示装置によれば、レート変換によって、ソース線からの映像信号のデータ電位書き込み時間および黒挿入時間を黒挿入をしない場合に比較して１／２以上１未満にまで拡げることができる。従って、逆転移の防止というＯＣＢ特有の駆動による各画素への書き込み時間の不足やソースドライバへの転送レートの高速化を防ぐことが可能となり、これらによる画質劣化の影響または回路側への負担を極力小さくすることが可能となる。
【発明を実施するための最良の形態】
【００２７】
　（第１の実施形態）
　図１および図２は、本発明の第１の実施形態に係る液晶表示装置の構成および駆動方法を示す図である。図１において、１０１はゲート線、１０２はソース線、１０３はスイッチング素子としてのＴＦＴで、ＴＦＴのドレイン電極は画素の画素電極に接続されている。画素は、画素電極と対向電極１０７との両方の電極にはさまれて保持された液晶１０５で形成され、さらにドレイン電極ともう一方の電極１０６との間に形成された蓄積容量１０４で構成される。
【００２８】
　以下、図２においてその実際の駆動を説明する。
【００２９】
　ソース線へのデータ電位Ｖｓの供給と同期して、各ゲート線の電位Ｖｇは順次オン電位となる。ソース線に供給される電圧の位相は、本例ではソース線毎またはフレーム毎に逆相の関係となる。対向電極の電圧と、ソース線に供給され各画素に印可された電圧の差が、画素内の液晶の両端に印加される電圧で、これが画素の透過率を決定する。
【００３０】
　以上は蓄積容量の反対側の電極（以後、蓄積容量電極とよぶ）の電位Ｖｅが一定の場合である。
【００３１】
　図２に示すとおり、ソース線電位の書き込み後たとえば１フレームの８０％の期間経過後に蓄積容量電極電位Ｖｅを変化させその状態を維持すると、蓄積容量を介して液晶に印加される電位を操作できる。
【００３２】
　その際の液晶に印加される電位の変化量（積み上げ電位）Ｖｐは、蓄積容量をＣｓｔ、液晶容量をＣｌｃ、さらに図示しないゲート−ドレイン間の突き抜け容量をＣｇｄ、Ｖｅの変化電圧分をＶｅ＋またはＶｅ−とすると以下の式で表される。
【００３３】
　Ｖｐ＝Ｃｓｔ／（Ｃｌｃ＋Ｃｓｔ＋Ｃｇｄ）×（Ｖｅ＋またはＶｅ−）　（１）
　上記より、Ｖｅ＋およびＶｅ−を所定の電位に操作することで、１フレーム期間の一定期間に逆転移防止に必要な電位以上の電位を液晶に印加することができる。
【００３４】
　すなわち、その直前にソースを介して書き込まれた液晶電位がどのような電位であっても、前記のＶｐ分は実効電圧を大きく積み上げることが可能となる。従って、映像書き込みに要する時間を短縮することなく、逆転移防止電圧を書き込むことができる。
【００３５】
　一定電位以上の電位を１フレーム期間の一定割合だけ印加することで逆転移を防止し、従来の駆動より低い電位まで表示用に使用することで、結果として高い透過率を維持できる。
【００３６】
　図４に一般的なＯＣＢの電位−透過率曲線を示す。図４において４０１は逆転移防止のための所定電位を挿入しない場合の電位−透過率曲線、４０２は逆転移防止のための所定電位を挿入した場合の電位−透過率曲線、４０３は逆転移防止をしない場合のベンド配向からスプレイ配向への逆転移が起きる臨界電位Ｖｔｈ、４０４は最も高い透過率の時の電位（白電位）、４０５は最も低い透過率の時の電位（黒電位）である。
【００３７】
　逆転移防止をしない場合、Ｖｔｈ以下ではスプレイ配向に戻ってしまうため適切な透過率が得られず、従ってＶｔｈ以上の電位で駆動しなければならないが、図４に示すようにその場合には十分な輝度が得られない。
【００３８】
　本発明の第１の実施形態に係る液晶表示装置の駆動方法および液晶表示装置によれば、ソース線によるデータ電位書き込み後、蓄積容量電極電位を所定の電位に駆動することで逆転移を防止し、これによる画面輝度低下の影響を極力小さくすることが可能となる。
【００３９】
　（第２の実施形態）
　第１の実施の形態においては、液晶に印加する電圧の交流反転をソース線電位の極性反転で実現した。
【００４０】
　そのためには、図４における、最も高い電位４０５の少なくとも２倍幅の電位を供給する必要がある。
【００４１】
　本実施例においては、図４における、最も高い電位４０５の１倍幅の電位（以下、１倍電位とよぶ）を供給し、液晶への交流反転駆動と、逆転移防止駆動とを同時に行う方法について述べる。
【００４２】
　先ず、ソース線の該１倍電位における交流反転駆動について述べると、図３に示すように、ゲートをオンする間、蓄積容量電極電位Ｖｅを一時的に高くあるいは低くし、ゲートのオフ後に元の電位に戻すことで、蓄積容量を介して液晶に印加される電位を操作できる。液晶に印加される電位の変化量Ｖｃｃは、Ｖｅの変化電圧分をＶｇｅ＋またはＶｇｅ−とすると以下の式で表される。
【００４３】
　（２）式　Ｖｃｃ＝Ｃｓｔ／（Ｃｌｃ＋Ｃｓｔ＋Ｃｇｄ）×（Ｖｇｅ＋またはＶｇｅ−）
　その際のソース線電位は反転動作を行うときには交流的に−１倍となるように例えばビット変転などの操作を行う。
【００４４】
　以上のように駆動することで、ソース線電位として該１倍電位を供給しながら交流反転駆動を行う。
【００４５】
　次に、ソース線電位の書き込み後たとえば１フレームの８０％の期間経過後にさらに電位を変化させその状態を維持すると、蓄積容量を介して逆転移防止に必要な電位以上の電位を液晶に印加することができる。
【００４６】
　その際の液晶に印加される電位の変化量Ｖｐは、Ｖｅの変化電圧分をＶｅ＋またはＶｅ−とすると（１）式と同じように表せる。
【００４７】
　本発明の第２の実施形態に係る液晶表示装置の駆動方法および液晶表示装置によれば、蓄積容量電極電位を所定の電位に駆動することで、ソース線を該１倍電位で駆動しながら交流反転駆動を行い、かつ逆転移を防止し、これによる画面輝度低下の影響を極力小さくすることが可能となる。
【００４８】
　また、上記の構成ではソース線の駆動電位を第１の実施例よりも低くすることができ、従ってソース線を駆動する回路またはドライバＩＣのコストを低減することが可能となる。
【００４９】
　（第３の実施形態）
　第１および第２の実施の形態においては、蓄積容量電極を各々個別に駆動する構成でその動作を説明した。
【００５０】
　本第３の実施の形態では、蓄積容量電極を隣接する別のゲート線と共有した構成（以下、前段ゲートとよぶ）で説明する。
【００５１】
　図１３において、１３０１、１３０１ａ、１３０１ｂは各ゲート線、１３０２、１３０２ａは各ソース線、１３０３はスイッチング素子としてのＴＦＴで、ＴＦＴのドレイン電極は画素の画素電極に接続されている。画素は、画素電極と対向電極１３０７との両方の電極にはさまれて保持された液晶１３０５で形成され、さらにドレイン電極ともう一方の蓄積容量電極１３０６との間に形成された蓄積容量１３０４で構成される。
【００５２】
　本実施形態ではさらに、蓄積容量電極１３０６は隣接したゲート線である前段ゲート１３０１に繋がれている。
【００５３】
　前段ゲート構成においても、図１４に示すとおり、前段のゲート電位をソース線電位の書き込み後たとえば１フレームの８０％の期間経過後に電位を変化させると、蓄積容量を介して液晶に印加される電位を操作できる。
【００５４】
　本発明の第３の実施形態に係る液晶表示装置の駆動方法および液晶表示装置によれば、ソース線によるデータ電位書き込み後、前段ゲート電位を所定の電位に駆動することで逆転移を防止し、これによる画面輝度低下の影響を極力小さくすることが可能となる。
【００５５】
　また、前段ゲート構成によって、一般には第１の実施の形態よりも開口率が高くなり、またより少ない駆動線で駆動が可能となる。
【００５６】
　（第４の実施形態）
　第１から第３の実施形態においては蓄積容量の一方の電極から蓄積容量を介して逆転移防止の電位を印加した。
【００５７】
　本実施の形態では、液晶の一方の電極である対向電極から逆転移防止の電位を印加する構成とする。
【００５８】
　図１５に示すように、第１の実施の形態とほぼ同じ効果を得られる事がわかる。但し、本実施の形態での対向電極による電位変化分は、
　（３）式　Ｖｐ＝Ｃｌｃ／（Ｃｌｃ＋Ｃｓｔ＋Ｃｇｄ）×（Ｖｅ＋またはＶｅ−）
　であらわされる。
【００５９】
　（第５の実施形態）
　図５および図６は第５の実施形態に係る液晶表示装置の構成および駆動方法を示す図である。
【００６０】
　図５において、５０１はソース線を駆動するソースドライバ、５０２はゲート線を駆動するゲートドライバ、５０３はソース、ゲート、ＴＦＴ、画素をマトリクス条に配置した液晶パネル、５０４は前記ドライバを駆動する駆動制御部、５０５は映像信号の１水平走査期間を１倍以上２倍未満にレート変換するレート変換部、５０６は前記レート変換に用いるメモリである。
【００６１】
　図６において、ｇ０からｇ１７は各ゲートラインの電位を、Ｖｓはソース電位を表わしている。
【００６２】
　以下、図においてその実際の駆動を説明する。
【００６３】
　入力された映像信号は、前記レート変換部でメモリを用いてレート変換される。本実施形態では７／６倍のレート変換によって、６水平期間を、３６／７の水平期間となるように変換している。すなわち、１水平期間が６／７となり、従って、６水平期間毎に水平期間の６／７の余裕時間ができる。この余裕時間内に黒レベルのような高電位を液晶に書き込むことが可能となる。
【００６４】
　図に示すように、各ゲートラインはこのレート変換のタイミングに合わせて、映像信号と黒レベルなどの高電位とで１ライン毎にオンするのか複数ラインを同時に選択してオンするのかを切り替える。
【００６５】
　また、１つの画素に注目したとき、この黒レベルなどの高電位挿入（以下、黒挿入とよぶ）と映像信号の書き込みとは、各々１フレーム周期で一定期間毎に交互に繰り返すように駆動する。この黒挿入は本例では６ライン分を一括して選択書き込みを行う。
【００６６】
　このように駆動することで、本発明の実施形態に係る液晶表示装置の駆動方法および液晶表示装置によれば、レート変換によって、ソース線からの映像信号のデータ電位書き込み時間および黒挿入時間を黒挿入をしない場合に比較して１／２以上１未満にまで拡げることができる。従って、逆転移の防止というＯＣＢ特有の駆動による各画素への書き込み時間の不足やソースドライバへの転送レートの高速化を防ぐことが可能となり、これらによる画質劣化の影響または回路側への負担を極力小さくすることが可能となる。
【００６７】
　なお、本例ではレート変換を７／６倍の構成としたが、（ｎ＋１）／ｎ倍　（ｎ＝２，３，４・・・）であればよく、ｎ＝６に固定するものではない。
【００６８】
　また、説明図の簡便さからｇ０ラインにおける黒書き込みと映像の書き込みとは７ライン走査時間の距離としているが、この距離は７ライン分と限定するものではない。具体的には、液晶材料を替えた場合などのようにシステム毎に最適な逆転移防止の黒挿入時間は変更しなければならない。
【００６９】
　（第６の実施形態）
　図８は第６の実施形態に係る液晶表示装置の構成を示す図である。
【００７０】
　図８において、５０１はソース線を駆動するソースドライバ、５０２はゲート線を駆動するゲートドライバ、５０３はソース、ゲート、ＴＦＴ、画素をマトリクス状に配置した液晶パネル、５０４は前記ドライバを駆動する駆動制御部、５０５は映像信号の１水平走査期間を１倍以上２倍未満にレート変換するレート変換部、５０６は前記レート変換に用いるメモリ、８０１は前記レート変換のタイミングに合わせて映像信号に対して輝度補正を行う輝度補正部である。
【００７１】
　以下、図においてその実際の駆動を説明する。
【００７２】
　各ドライバの駆動およびレート変換の様子はの第３の実施形態におけるものと同等である。しかしながら、第５の実施形態では図６に示す通り、ｇ０ラインとｇ１からｇ５ラインとでは黒挿入の時間が異なり、ｇ０ラインとｇ５ラインとでは最も差が顕著となる。図７に示すとおり、これらは輝度差となって表示され、第５の実施例では６ライン毎の輝度ムラとなって認識される。
【００７３】
　上記問題点を解決するため、予め実験等により求めておいた輝度への影響を補正する補正処理を８０１輝度補正部にて行う。補正の方法についてはテーブルによるもの、乗算器等によるものなど、公知の技術で可能であるため詳細についてはここでは触れない。
【００７４】
　以上のように、ゲート線毎の補正を映像信号に対して行うことで、各ゲート毎の黒挿入時間のばらつきを補正し、各ゲート毎の輝度むらの影響を排除することができる。
【００７５】
　（第７の実施形態）
　図９および図１０は第７の実施形態に係る液晶表示装置の構成および駆動方法を示す図である。図１０において、５０１はソース線を駆動するソースドライバ、５０２はゲート線を駆動するゲートドライバ、５０３はソース、ゲート、ＴＦＴ、画素をマトリクス状に配置した液晶パネル、５０４は前記ドライバを駆動する駆動制御部、１００１は映像信号の１水平走査期間を１倍以上２倍未満にレート変換し、フレーム毎に並べ替えを行う並べ替え部、５０６は前記並べ替えおよびレート変換に用いるメモリである。
【００７６】
　以下、図においてその実際の駆動を説明する。
【００７７】
　第６の実施形態において、映像信号を補正することで輝度ムラを排除する構成としたが、本例では、フレーム毎に走査順を入れ替えて各ゲート毎の平均を均一化させ、各ゲート毎の輝度むらの影響を排除するものである。
【００７８】
　図９の（ａ）第１フレームでは、ｇ０からｇ５の方向とｇ１１からｇ６の方向に走査を行い、（ｂ）第２フレームではｇ５からｇ０の方向とｇ６からｇ１１の方向にに走査を行う（ｇ１２以降はｇ０からｇ１１の繰り返しとする）。
【００７９】
　このように駆動することで、ｇ０の黒挿入の時間の第１・第２フレームの平均は、その他のゲート線の平均と同じになる。また、ｇ５とｇ６ライン間の不連続性も同時に考慮している。
【００８０】
　このように走査を行うため、１００１並べ替え部では上記の走査順に相応して映像信号の並べ替えおよびレート変換を行う。このようなレート変換と並べ替えとを同一の構成で行うことは公知であるため、詳細についてはここでは触れない。
【００８１】
　以上のように、走査順の変更をフレーム毎に行うことで、各ゲート毎の黒挿入時間のばらつきを均一化させ、各ゲート毎の輝度むらの影響を排除することができる。
【産業上の利用可能性】
【００８２】
　以上のように、本発明は、アクティブマトリックス型液晶表示装置の駆動方法および液晶表示装置にとして有用であり、特に広視野角、高速応答性を有するＯＣＢ液晶モードを利用した液晶表示装置の駆動方法および液晶表示装置に適している。
【図面の簡単な説明】
【００８３】
【図１】本発明の第１の実施形態に係る液晶表示装置の構成を示す図
【図２】本発明の第１の実施形態に係る液晶表示装置の駆動方法の説明図
【図３】本発明の第２の実施形態に係る液晶表示装置の駆動方法の説明図
【図４】ＯＣＢの電位対透過率を示す図
【図５】本発明の第５の実施形態に係る液晶表示装置の構成を示すブロック図
【図６】本発明の第５の実施形態に係る液晶表示装置の駆動方法の説明図
【図７】本発明の第５の実施形態に係るライン毎の輝度ムラを示す図
【図８】本発明の第６の実施形態に係る液晶表示装置の構成を示すブロック図
【図９】本発明の第７の実施形態に係る液晶表示装置の駆動方法の説明図
【図１０】本発明の第７の実施形態に係る液晶表示装置の構成を示すブロック図
【図１１】従来の実施形態に係る液晶表示装置の構成図
【図１２】従来の実施形態に係る液晶表示装置の駆動方法の説明図
【図１３】本発明の第３の実施形態に係る液晶表示装置の構成を示すブロック図
【図１４】本発明の第３の実施形態に係る液晶表示装置の駆動方法の説明図
【図１５】本発明の第４の実施形態に係る液晶表示装置の駆動方法の説明図
【符号の説明】
【００８４】
　１０１　　ゲート線
　１０２　　ソース線
　１０３　　ＴＦＴ
　１０４　　蓄積容量
　１０５　　液晶
　１０６　　蓄積容量片側電極
　１０７　　共通電極
【図１】
2004046235.tif 000003
【図２】
2004046235.tif 000004
【図３】
2004046235.tif 000005
【図４】
2004046235.tif 000006
【図５】
2004046235.tif 000007
【図６】
2004046235.tif 000008
【図７】
2004046235.tif 000009
【図８】
2004046235.tif 000010
【図９】
2004046235.tif 000011
【図１０】
2004046235.tif 000012
【図１１】
2004046235.tif 000013
【図１２】
2004046235.tif 000014
【図１３】
2004046235.tif 000015
【図１４】
2004046235.tif 000016
【図１５】
2004046235.tif 000017